(57)【要約】      （修正有）【課題】ＲＯＭ容量を増大することなく、ＯＳＤや映像の色、明るさおよび透明度を変えた表示を可能にする表示制御回路を提供する。【解決手段】表示制御回路は、表示データＳ７２に基づいてカラーパレットおよび映像混合比を選択するカラーパレット選択回路７５および映像混合比選択回路７６と、シャッター用パレット７７と、カラーパレット選択回路７５および映像混合比選択回路７６からの出力とシャッター用パレット７７からの出力とを混合する色混合回路７８およびα値混合回路７９と、シャッター制御信号Ｓ７１およびＯＳＤ出力制御信号Ｓ７４に基づいて、色混合回路７８およびα値混合回路７９の出力、シャッター用パレット７７の出力並びにカラーパレット選択回路７５および映像混合比選択回路７６からの出力を切り替えて出力する切替回路８０, ８１, ８２, ８３とを備えている。【選択図】図７
2005252398.tif 000002
【特許請求の範囲】
【請求項１】
テレビ画面上に、ＯＳＤを表示させるための表示制御回路であって、
上記ＯＳＤの色データがそれぞれ格納される複数のカラーパレットと、
上記複数のカラーパレットのうちの１つを選択するカラーパレット選択回路と、
上記ＯＳＤの上記色データを上記テレビ画面上に表示される映像と混合する比率である映像混合比がそれぞれ格納される複数の映像混合比パレットと、
上記複数の映像混合比パレットのうちの１つを選択する映像混合比選択回路と、
上記ＯＳＤの表示を変化させるシャッター領域を指定するシャッター制御信号に基づいて、ＯＳＤ出力変化値を出力するか抑制するかを制御する論理回路と、
上記論理回路から上記ＯＳＤ出力変化値が出力された場合には、上記ＯＳＤ出力変化値によって、上記カラーパレット選択回路で選択されたカラーパレットの色データを変化させる演算回路と
を備える、表示制御回路。
【請求項２】
請求項１に記載の表示制御回路であって、
上記ＯＳＤ出力変化値は、上記ＯＳＤの表示のうちのＲ値を変化させるＲ出力変化値と、Ｇ値を変化させるＧ出力変化値と、Ｂ値を変化させるＢ出力変化値とを含み、
上記論理回路として、上記Ｒ出力変化値の出力を制御するＲ値用論理回路と、上記Ｇ出力変化値の出力を制御するＧ値用論理回路と、上記Ｂ出力変化値の出力を制御するＢ値用論理回路とを備え、
上記演算回路として、上記カラーパレット選択回路で選択されたカラーパレットのＲ値を、上記Ｒ値用論理回路からの出力によって変化させるＲ値用演算回路と、上記カラーパレット選択回路で選択されたカラーパレットのＧ値を、上記Ｇ値用論理回路からの出力によって変化させるＧ値用演算回路と、上記カラーパレット選択回路で選択されたカラーパレットのＢ値を、上記Ｂ値用論理回路からの出力によって変化させるＢ値用演算回路とを備える、表示制御回路。
【請求項３】
請求項１または２に記載の表示制御回路であって、
上記シャッター制御信号に基づいて、映像混合比出力変化値を出力するか抑制するかを制御する映像混合比用論理回路と、
上記映像混合比用論理回路から上記映像混合比出力変化値が出力された場合には、上記映像混合比出力変化値によって、映像混合比選択回路で選択された映像混合比を変化させる映像混合比用演算回路と
を備える、表示制御回路。
【請求項４】
テレビ画面上に、ＯＳＤを表示させるための表示制御回路であって、
上記ＯＳＤの色データがそれぞれ格納される複数のカラーパレットと、
上記複数のカラーパレットのうちの１つを選択するカラーパレット選択回路と、
上記ＯＳＤの上記色データを上記テレビ画面上に表示される映像と混合する比率である映像混合比がそれぞれ格納される複数の映像混合比パレットと、
上記複数の映像混合比パレットのうちの１つを選択する映像混合比選択回路と、
上記ＯＳＤの表示を変化させるシャッター領域を指定するシャッター制御信号に基づいて、映像混合比出力変化値を出力するか抑制するかを制御する映像混合比用論理回路と、
上記映像混合比用論理回路から上記映像混合比出力変化値が出力された場合には、上記映像混合比出力変化値によって、映像混合比選択回路で選択された映像混合比を変化させる映像混合比用演算回路と
を備える、表示制御回路。
【請求項５】
テレビ画面上に、ＯＳＤを表示させるための表示制御回路であって、
上記ＯＳＤの色データがそれぞれ格納される複数のカラーパレットと、
上記複数のカラーパレットのうちの１つを選択するカラーパレット選択回路と、
上記ＯＳＤの表示の上記色データを上記テレビ画面上に表示される映像と混合する比率である映像混合比がそれぞれ格納される複数の映像混合比パレットと、
上記複数の映像混合比パレットのうちの１つを選択する映像混合比選択回路と、
上記ＯＳＤの表示を変化させるシャッター領域を指定するシャッター制御信号に基づいて、上記映像混合比選択回路から出力される映像混合比と、シャッター領域における映像混合比とを切り替える切換回路と
を備える、表示制御回路。
【請求項６】
テレビ画面上に、ＯＳＤを表示させるための表示制御回路であって、
上記ＯＳＤの色データがそれぞれ格納される複数のカラーパレットと、
上記複数のカラーパレットのうちの１つを選択するカラーパレット選択回路と、
上記ＯＳＤの表示の上記色データを上記テレビ画面上に表示される映像と混合する比率である映像混合比がそれぞれ格納される複数の映像混合比パレットと、
上記複数の映像混合比パレットのうちの１つを選択する映像混合比選択回路と、
上記ＯＳＤの表示を変化させる領域であるシャッター領域用の色データが格納されるシャッター用カラーパレットと、
上記シャッター領域用の映像混合比が格納されるシャッター用映像混合比パレットと、
上記カラーパレット選択回路で選択されたカラーパレットの色データと、上記シャッター用カラーパレットの上記色データとを混合する色混合回路と、
上記色混合回路からの出力と、上記シャッター用カラーパレットの出力とを切り替える第１の切換回路と、
上記シャッター領域を指定するシャッター制御信号に基づいて、上記カラーパレット選択回路の出力と、上記第１の切換回路の出力とを切り替えて、ＯＳＤ出力信号として出力する第２の切換回路と、
上記映像混合比選択回路で選択された映像混合比と、上記シャッター用映像混合比とを混合する映像混合比混合回路と、
上記映像混合比混合回路の出力と、上記シャッター用映像混合比の出力とを切り替える第３の切換回路と、
上記映像混合比選択回路の出力と、上記第３の切換回路の出力とを切り替える第４の切換回路と
を備える、表示制御回路。
【請求項７】
請求項６に記載の表示制御回路であって、
上記シャッター領域内のＯＳＤを表示する場合には、上記第１の切換回路において上記色混合回路からの出力を選択し、上記第２の切換回路において上記第１の切換回路からの出力を選択し、上記第３の切換回路において上記映像混合比混合回路からの出力を選択し、上記第４の切換回路において上記第３の切換回路からの出力を選択し、
上記シャッター領域内の映像を表示する場合には、上記第１の切換回路において上記シャッター用カラーパレットの出力を選択し、上記第２の切換回路において上記第１の切換回路からの出力を選択し、上記第３の切換回路において上記シャッター用映像混合比パレットの出力を選択し、上記第４の切換回路において上記第３の切換回路からの出力を選択し、
上記シャッター領域外を表示する場合には、上記第２の切換回路において上記カラーパレット選択回路の出力を選択し、上記第４の切換回路において上記映像混合比選択回路の出力を選択する、表示制御回路。
【発明の詳細な説明】
【技術分野】
【０００１】
本発明は、ＣＲＴ（Cathode Ray Tube）等の表示装置において文字・図形表示を制御するための回路に関するものであり、特に、表示の変化に対応して、文字や図形の色、明るさおよび透明度を変化させる回路に関する。
【背景技術】
【０００２】
従来から、テレビジョン受像機は、ＲＯＭ等に記憶されたチャンネルや音量等についての表示データを読み出し、これらの情報をＣＲＴ等の表示装置に表示させる、ＯＳＤ（オンスクリーンディスプレイ）を有している。ＣＲＴ等の表示を効率的に切換える方法として、ＯＳＤの表示データの転送を設定に応じて抑制する（以下、シャッターと称す）機能を用いて、ＣＲＴ等の表示切換え時に必要な情報を表示し、残りを非表示にするものがある（例えば、特許文献１参照。）。
【０００３】
以下に、従来のシャッター機能を有する表示制御回路について説明する。
【０００４】
図９は、従来のシャッター機能を有する表示制御回路の構成を示すブロック図である。
【０００５】
図９に示すように、従来の表示制御回路１００は、シャッター領域にはＬレベルを、シャッター領域以外にはＨレベルを示すシャッター制御信号Ｓ１０１が入力されるシャッター制御信号入力端子１０１と、ＲＯＭ（図示せず）から順次読み出されるＯＳＤ表示の種類を示す表示データＳ１０２が入力される表示データ入力端子１０２と、ＯＳＤ表示の色を示すＲＧＢ値がそれぞれ格納されるｎ個のカラーパレットＰＬＴ１〜ＰＬＴｎと、表示データＳ１０２に基づいてカラーパレットＰＬＴ１〜ＰＬＴｎを選択するカラーパレット選択回路１０３と、ＯＳＤと映像とを混合する比率α値（映像混合比）がそれぞれ格納されているｎ個のパレットＡＬＰ１〜ＡＬＰｎと、表示データＳ１０２に基づいてパレットＡＬＰ１〜ＡＬＰｎを選択する映像混合比選択回路１０４と、カラーパレット選択回路１０３からの出力信号およびシャッター制御信号Ｓ１０１が入力され、ＯＳＤ出力信号Ｓ１０５を出力する論理積回路１０５と、映像混合比選択回路１０４からの出力信号およびシャッター制御信号Ｓ１０１が入力され、映像混合比出力信号Ｓ１０６が出力される論理積回路１０６とを備えている。
【０００６】
次に、図９に示す表示制御回路の動作について説明する。まず、カラーパレット選択回路１０３が、ＲＯＭ（図示せず）から順次読み出される表示データＳ１０２に基づいて、カラーパレットＰＬＴ１〜ＰＬＴｎのうちのいずれかを選択する。そして、論理積回路１０５では、カラーパレット選択回路１０３で選択されたカラーパレットのＲＧＢ値とシャッター制御信号Ｓ１０１との論理積処理を行い、ＯＳＤの文字や図形の色を形成するＯＳＤ出力信号Ｓ１０５を出力する。
【０００７】
一方、映像混合比についてもＲＧＢ値と同様の動作を行う。具体的にいうと、映像混合比選択回路１０４は、ＲＯＭ（図示せず）から順次読み出される表示データＳ１０２に基づいて、映像混合比パレットＡＬＰ１〜ＡＬＰｎのうちのいずれかを選択する。そして、論理積回路１０６では、映像混合比選択回路１０４で選択された映像混合比α値とシャッター制御信号Ｓ１０１との論理積処理を行い、ＯＳＤの文字や図形と映像との混合比を形成する映像混合比出力信号Ｓ１０６を出力する。
【０００８】
ここで、シャッター制御信号Ｓ１０１とは、任意の手段でＯＳＤ表示を抑制するシャッター領域を設定し、テレビの走査線に応じて順次ＬレベルまたはＨレベルを出力する信号である。
【０００９】
シャッター領域を表示するためには、Ｌレベルのシャッター制御信号Ｓ１０１が論理積回路１０５に出力される。論理積回路１０５においては、Ｌレベルのシャッター制御信号Ｓ１０１がＲＧＢ値を抑制し、ＬレベルのＯＳＤ出力信号Ｓ１０５が出力される。同様に、論理積回路１０６においても映像混合比α値は抑制され、出力される映像混合比出力信号Ｓ１０６はＬレベルになる。
【００１０】
また、シャッター領域外を表示するためには、Ｈレベルのシャッター制御信号Ｓ１０１が論理積回路１０５に出力される。論理積回路１０５にＨレベルのシャッター制御信号Ｓ１０１が入力されると、ＲＧＢ値は論理積回路１０５を通過してＯＳＤ出力信号Ｓ１０５として出力される。同様に、映像混合比α値は論理積回路１０６を通過して映像混合比出力信号Ｓ１０６として出力される。
【００１１】
以上に述べた動作によって生成したＯＳＤ出力信号Ｓ１０５および映像混合比出力信号Ｓ１０６は、テレビ画面の表示を図１０に示す状態にする。図１０は、従来の映像表示回路の制御によってテレビ画面に表示される画像の状態を示す図である。
【００１２】
図１０において、破線Ｌは、シャッター領域と非シャッター領域（選択領域）との境界を示し、この時点では、破線Ｌによって囲まれる領域であるＯＳＤ１は非シャッター領域となっているため、テレビ画面上に表示されている。そして、破線Ｌによって囲まれる領域の外側にもＯＳＤが配置しているが、これらはシャッター領域に位置するため図１０に示すテレビ画面には表示されていない。なお、シャッター領域の範囲は任意の手段で柔軟に変更することができ、ＯＳＤ１を途中から表示させる等の動作が可能である。
【特許文献１】特開昭５７−１５７２８８号抄録
【発明の開示】
【発明が解決しようとする課題】
【００１３】
上記従来の構成では、ＯＳＤは非シャッター領域にあれば表示され、シャッター領域にあれば表示されないという２通りの状態しかなく、シャッター領域におけるＯＳＤ表示の色や明るさや透明度を変えて表示する事ができない。例えば、テレビ画面上にメニューを表示して複数の項目をリモコンで選択する場合には、視聴者に分かり易くするために、選択した項目のみ明るくし周辺を暗くする方法がある。しかしながら、上記従来の構成では、図１０に示すように、ＯＳＤ１は表示されるがシャッター領域におけるＯＳＤは表示されないため、上述のような表示を実現することができない。
【００１４】
ところが一方で、上述のような表示を実現するためにシャッター機能を使用しない場合には、選択された時の明るいＯＳＤと選択されない時の暗いＯＳＤとの２種類のＯＳＤが必要であり、カラーパレット、映像混合比パレットおよび表示データを格納するＲＯＭの容量が増大してしまう問題がある。
【００１５】
本発明は、上記従来の問題点を解決するためのものであり、カラーパレットや映像混合比パレット、表示データを格納するＲＯＭ容量を増大することなく、ＯＳＤや映像の色、明るさおよび透明度を変えた表示を可能にする表示制御回路の提供を目的とする。
【課題を解決するための手段】
【００１６】
本発明の第１の表示制御回路は、テレビ画面上に、ＯＳＤを表示させるための表示制御回路であって、上記ＯＳＤの色データがそれぞれ格納される複数のカラーパレットと、上記複数のカラーパレットのうちの１つを選択するカラーパレット選択回路と、上記ＯＳＤの上記色データを上記テレビ画面上に表示される映像と混合する比率である映像混合比がそれぞれ格納される複数の映像混合比パレットと、上記複数の映像混合比パレットのうちの１つを選択する映像混合比選択回路と、上記ＯＳＤの表示を変化させるシャッター領域を指定するシャッター制御信号に基づいて、ＯＳＤ出力変化値を出力するか抑制するかを制御する論理回路と、上記論理回路から上記ＯＳＤ出力変化値が出力された場合には、上記ＯＳＤ出力変化値によって、上記カラーパレット選択回路で選択されたカラーパレットの色データを変化させる演算回路とを備える。
【００１７】
これにより、シャッター領域におけるＯＳＤの色および明るさと、非シャッター領域におけるＯＳＤの色とを異なるものとすることができる。つまり、シャッター機能を使用しつつこのような表示が可能となるため、カラーパレット、映像混合比パレットおよび表示データ等を格納する記憶装置の容量を増加させることなく、ＯＳＤの色および明るさを変えることが可能となる。
【００１８】
上記ＯＳＤ出力変化値は、上記ＯＳＤの表示のうちのＲ値を変化させるＲ出力変化値と、Ｇ値を変化させるＧ出力変化値と、Ｂ値を変化させるＢ出力変化値とを含み、上記論理回路として、上記Ｒ出力変化値の出力を制御するＲ値用論理回路と、上記Ｇ出力変化値の出力を制御するＧ値用論理回路と、上記Ｂ出力変化値の出力を制御するＢ値用論理回路とを備え、上記演算回路として、上記カラーパレット選択回路で選択されたカラーパレットのＲ値を、上記Ｒ値用論理回路からの出力によって変化させるＲ値用演算回路と、上記カラーパレット選択回路で選択されたカラーパレットのＧ値を、上記Ｇ値用論理回路からの出力によって変化させるＧ値用演算回路と、上記カラーパレット選択回路で選択されたカラーパレットのＢ値を、上記Ｂ値用論理回路からの出力によって変化させるＢ値用演算回路とを備えていてもよい。この場合には、シャッター領域におけるＯＳＤの表示のうちＲ、ＧおよびＢを個別に変化させることができるため、所望の色を実現することができる。
【００１９】
上記シャッター制御信号に基づいて、映像混合比出力変化値を出力するか抑制するかを制御する映像混合比用論理回路と、上記映像混合比用論理回路から上記映像混合比出力変化値が出力された場合には、上記映像混合比出力変化値によって、映像混合比選択回路で選択された映像混合比を変化させる映像混合比用演算回路とを備えていてもよい。この場合には、シャッター領域におけるＯＳＤの表示の透明度を変化させることができる。
【００２０】
本発明の第２の表示制御回路は、テレビ画面上に、ＯＳＤを表示させるための表示制御回路であって、上記ＯＳＤの色データがそれぞれ格納される複数のカラーパレットと、上記複数のカラーパレットのうちの１つを選択するカラーパレット選択回路と、上記ＯＳＤの上記色データを上記テレビ画面上に表示される映像と混合する比率である映像混合比がそれぞれ格納される複数の映像混合比パレットと、上記複数の映像混合比パレットのうちの１つを選択する映像混合比選択回路と、上記ＯＳＤの表示を変化させるシャッター領域を指定するシャッター制御信号に基づいて、映像混合比出力変化値を出力するか抑制するかを制御する映像混合比用論理回路と、上記映像混合比用論理回路から上記映像混合比出力変化値が出力された場合には、上記映像混合比出力変化値によって、映像混合比選択回路で選択された映像混合比を変化させる映像混合比用演算回路とを備える。
【００２１】
これにより、シャッター領域におけるＯＳＤの透明度と、非シャッター領域におけるＯＳＤの透明度を異なるものとすることができる。つまり、シャッター機能を使用しつつこのような表示が可能となるため、カラーパレット、映像混合比パレットおよび表示データ等を格納する記憶装置の容量を増加させることなく、ＯＳＤの色および明るさを変えることが可能となる。
【００２２】
本発明の第３の表示制御回路は、テレビ画面上に、ＯＳＤを表示させるための表示制御回路であって、上記ＯＳＤの色データがそれぞれ格納される複数のカラーパレットと、上記複数のカラーパレットのうちの１つを選択するカラーパレット選択回路と、上記ＯＳＤの表示の上記色データを上記テレビ画面上に表示される映像と混合する比率である映像混合比がそれぞれ格納される複数の映像混合比パレットと、上記複数の映像混合比パレットのうちの１つを選択する映像混合比選択回路と、上記ＯＳＤの表示を変化させるシャッター領域を指定するシャッター制御信号に基づいて、上記映像混合比選択回路から出力される映像混合比と、シャッター領域における映像混合比とを切り替える切換回路とを備える。
【００２３】
これにより、シャッター領域におけるＯＳＤおよび映像の透明度を、シャッター領域外にある場合とは異なったものとすることができる。
【００２４】
本発明の第４の表示制御回路は、テレビ画面上に、ＯＳＤを表示させるための表示制御回路であって、上記ＯＳＤの色データがそれぞれ格納される複数のカラーパレットと、上記複数のカラーパレットのうちの１つを選択するカラーパレット選択回路と、上記ＯＳＤの表示の上記色データを上記テレビ画面上に表示される映像と混合する比率である映像混合比がそれぞれ格納される複数の映像混合比パレットと、上記複数の映像混合比パレットのうちの１つを選択する映像混合比選択回路と、上記ＯＳＤの表示を変化させる領域であるシャッター領域用の色データが格納されるシャッター用カラーパレットと、上記シャッター領域用の映像混合比が格納されるシャッター用映像混合比パレットと、上記カラーパレット選択回路で選択されたカラーパレットの色データと、上記シャッター用カラーパレットの上記色データとを混合する色混合回路と、上記色混合回路からの出力と、上記シャッター用カラーパレットの出力とを切り替える第１の切換回路と、上記シャッター領域を指定するシャッター制御信号に基づいて、上記カラーパレット選択回路の出力と、上記第１の切換回路の出力とを切り替えて、ＯＳＤ出力信号として出力する第２の切換回路と、上記映像混合比選択回路で選択された映像混合比と、上記シャッター用映像混合比とを混合する映像混合比混合回路と、上記映像混合比混合回路の出力と、上記シャッター用映像混合比の出力とを切り替える第３の切換回路と、上記映像混合比選択回路の出力と、上記第３の切換回路の出力とを切り替える第４の切換回路とを備える。
【００２５】
これにより、シャッター領域にある映像およびＯＳＤの色および透明度を、シャッター領域外にある場合と異なるものにすることができる。
【００２６】
この場合の表示制御回路の動作を具体的に説明すると、上記シャッター領域内のＯＳＤを表示する場合には、上記第１の切換回路において上記色混合回路からの出力を選択し、上記第２の切換回路において上記第１の切換回路からの出力を選択し、上記シャッター領域内の映像を表示する場合には、上記第１の切換回路において上記シャッター用カラーパレットの出力を選択し、上記第２の切換回路において上記第１の切換回路からの出力を選択し、上記シャッター領域外を表示する場合には、上記第２の切換回路において上記カラーパレット選択回路の出力を選択する。
【００２７】
この場合の表示制御回路の動作を具体的に説明すると、上記シャッター領域内のＯＳＤを表示する場合には、上記第１の切換回路において上記色混合回路からの出力を選択し、上記第２の切換回路において上記第１の切換回路からの出力を選択し、上記第３の切換回路において上記映像混合比混合回路からの出力を選択し、上記第４の切換回路において上記第３の切換回路からの出力を選択し、上記シャッター領域内の映像を表示する場合には、上記第１の切換回路において上記シャッター用カラーパレットの出力を選択し、上記第２の切換回路において上記第１の切換回路からの出力を選択し、上記第３の切換回路において上記シャッター用映像混合比パレットの出力を選択し、上記第４の切換回路において上記第３の切換回路からの出力を選択し、上記シャッター領域外を表示する場合には、上記第２の切換回路において上記カラーパレット選択回路の出力を選択し、上記第４の切換回路において上記映像混合比選択回路の出力を選択する。
【発明を実施するための最良の形態】
【００２８】
以下に、本発明の実施形態について図面を参照しながら説明する。
【００２９】
（第１の実施形態）
図１は、本発明の第１の実施形態における表示制御回路の構成を示すブロック図である。図１に示すように、本実施形態の表示制御回路１０は、シャッター領域にはＬレベルを、シャッター領域以外にはＨレベルを示すシャッター制御信号Ｓ１１が入力されるシャッター制御信号入力端子１１と、ＲＯＭ（図示せず）から順次読み出され、ＯＳＤ表示の種類を示す表示データＳ１２が入力される表示データ入力端子１２と、ＯＳＤ出力変化値Ｓ１３が入力されるＯＳＤ出力変化値入力端子１３と、シャッター制御信号Ｓ１１の反転値とＯＳＤ出力変化値Ｓ１３との論理積処理を行う論理積回路１４と、ＯＳＤ表示の色を示すＲＧＢ値がそれぞれ格納されるｎ個のカラーパレットＰＬＴ１〜ＰＬＴｎと、表示データＳ１２に基づいてカラーパレットＰＬＴ１〜ＰＬＴｎを選択するカラーパレット選択回路１６と、カラーパレット選択回路１６の出力信号の値から論理積回路１４の出力信号の値を減算する減算回路１５と、ＯＳＤ表示と映像とを混合する比率であるα値（映像混合比）がそれぞれ格納されているｎ個のパレットＡＬＰ１〜ＡＬＰｎと、表示データＳ１２に基づいてパレットＡＬＰ１〜ＡＬＰｎを選択し、映像混合比出力信号Ｓ１７を出力する映像混合比選択回路１７とを備えている。
【００３０】
第１の実施形態の表示制御回路の特徴は、ＯＳＤ出力変化値Ｓ１３が入力されるＯＳＤ出力変化値入力端子１３、論理積回路１４および減算回路１５を有する点である。
【００３１】
次に、図１に示す表示制御回路の動作について説明する。まず、ＯＳＤ出力変化値Ｓ１３がＯＳＤ出力変化値入力端子１３に入力されると、論理積回路１４において、シャッター制御信号Ｓ１１を反転処理した信号とＯＳＤ出力変化値Ｓ１３との論理積処理を行う。ここで、ＯＳＤ出力変化値Ｓ１３とは、ＲＯＭ等の記憶部（図示せず）に格納されているあらかじめ設定された一定の値であってもよいし、画面の表示の変化に伴って、マイクロコンピュータ等におけるプログラムによって設定されたり、通信装置等で設定される可変の値であってもよい。また、シャッター制御信号Ｓ１１とは、ＯＳＤ表示を抑制するシャッター領域を画面上に表示するために、テレビの走査線に応じて順次ＬレベルまたはＨレベルを出力する信号である。一方、カラーパレット選択回路１６では、ＲＯＭ（図示せず）から順次読み出される表示データＳ１２に基づいて、カラーパレットＰＬＴ１〜ＰＬＴｎのうちいずれかを選択する。そして、減算回路１５において、カラーパレット選択回路１６から出力されたＲＧＢ値から、論理積回路１４からの出力値を減算処理し、ＯＳＤの文字や図形の色を形成するＯＳＤ出力信号Ｓ１５を、ＣＲＴ等の表示装置（図示せず）や映像信号とＯＳＤとを混合する回路（図示せず）に出力する。
【００３２】
より具体的に説明すると、シャッター領域を表示するためには、シャッター制御信号入力端子１１にＬレベルのシャッター制御信号Ｓ１１を入力する。論理積回路１４では、シャッター制御信号Ｓ１１をＨレベルに反転するため、ＯＳＤ出力変化値Ｓ１３がそのままの値で減算回路１５に出力される。一方、カラーパレット選択回路１６では、表示データＳ１２に基づいて、カラーパレットＰＬＴ１〜ＰＬＴｎのうちのいずれかを選択する。減算回路１５では、カラーパレット選択回路１６で選択されたカラーパレットのＲＧＢ値から、論理積回路１４から出力されたＯＳＤ出力変化値Ｓ１３を減算し、この減算結果をＯＳＤ出力信号Ｓ１５としてＣＲＴ等の表示装置（図示せず）や映像信号とＯＳＤとを混合する回路（図示せず）に出力する。
【００３３】
一方、非シャッター領域を表示するためには、シャッター制御信号入力端子１１にＨレベルのシャッター制御信号Ｓ１１を入力する。論理積回路１４では、シャッター制御信号Ｓ１１をＬレベルに反転するため、ＯＳＤ出力変化値Ｓ１３が抑制され、減算回路１５にはＬレベルの信号が出力される。減算回路１５に論理積回路１４からのＬレベルの信号が入力されると、減算処理はされず、カラーパレット選択回路１６から入力されたＲＧＢ値が通過して、ＯＳＤ出力信号Ｓ１５として出力される。
【００３４】
また、映像混合比選択回路１７では、ＲＯＭから順次読み出される表示データＳ１２に基づいて、映像混合比パレットＡＬＰ１〜ＡＬＰｎのうちのいずれかを選択し、ＯＳＤの文字や図形と映像との混合比を形成する映像混合比出力信号Ｓ１７をＣＲＴ等の表示装置（図示せず）や映像信号とＯＳＤとを混合する回路（図示せず）に出力する。
【００３５】
以上に述べた動作によって生成したＯＳＤ出力信号Ｓ１５は、テレビ画面を図２に示す状態にする。図２は、第１の実施形態における表示制御回路の制御によってテレビ画面に表示される画像の状態を示す図である。
【００３６】
図２において、破線Ｌは、シャッター領域と非シャッター領域との境界を示しており、破線によって囲まれる領域内が非シャッター領域となり、破線Ｌに囲まれる領域の外側がシャッター領域となっている。この状態において、シャッター領域に位置するＯＳＤ２, ３は、非シャッター領域に位置するＯＳＤ１よりも暗い状態で表示されている。これは、非シャッター領域にはＲＧＢ値がそのまま供給されるのに対して、シャッター領域にはＲＧＢ値からＯＳＤ出力変化値Ｓ１３が減算された値が供給されるためである。なお、シャッター領域の範囲は任意の回路で柔軟に変更することができ、ＯＳＤ１〜３の明るさを途中で変化させる等の動作が可能である。
【００３７】
なお、本実施形態では、減算回路１５の他に、割り算を行う除算回路等を用いることができる。
【００３８】
（第２の実施形態）
図３は、本発明の第２の実施形態における表示制御回路の構成を示すブロック図である。図３に示すように、本実施形態の表示制御回路３０は、シャッター領域にはＬレベルを、シャッター領域以外にはＨレベルを示すシャッター制御信号Ｓ３１が入力されるシャッター制御信号入力端子３１と、ＲＯＭ（図示せず）から順次読み出されるＯＳＤ表示の種類を示す表示データＳ３２が入力される表示データ入力端子３２と、ＲＧＢ値のうちＲ出力変化値が入力されるＲ出力変化値入力端子３３Ｒと、Ｇ出力変化値が入力されるＧ出力変化値入力端子３３Ｇと、Ｂ出力変化値が入力されるＢ出力変化値入力端子３３Ｂと、映像混合比αの変化値が入力されるα出力変化値入力端子３３αと、シャッター制御信号Ｓ３１の反転値と、Ｒ出力変化値、Ｇ出力変化値、Ｂ出力変化値および映像混合比αとの論理積処理をそれぞれ行う論理積回路３４Ｒ, ３４Ｇ, ３４Ｂ, ３４αと、ＯＳＤ表示の色を示すＲＧＢ値がそれぞれ格納されるｎ個のカラーパレットＰＬＴ１〜ＰＬＴｎと、表示データＳ３２に基づいてカラーパレットＰＬＴ１〜ＰＬＴｎを選択するカラーパレット選択回路３６と、カラーパレット選択回路３６の出力信号の値から論理積回路３４Ｒ, ３４Ｇ, ３４Ｂの出力信号の値を減算する減算回路３５Ｒ, ３５Ｇ, ３５Ｂと、映像混合比αの値が格納されているｎ個のパレットＡＬＰ１〜ＡＬＰｎと、表示データＳ３２に基づいてパレットＡＬＰ１〜ＡＬＰｎを選択する映像混合比選択回路３７と、映像混合比選択回路３７の出力信号の値から論理積回路３４αの出力信号の値を減算する減算回路３５αとを備えている。
【００３９】
本実施形態では、第１の実施形態におけるＯＳＤ出力変化値入力端子１３を設けるかわりに、Ｒ出力変化値入力端子３３Ｒと、Ｇ出力変化値入力端子３３Ｇと、Ｂ出力変化値入力端子３３Ｂと、α出力変化値入力端子３３αとを設けることにより、ＯＳＤ表示の色を示すＲ値，Ｇ値，Ｂ値と映像混合比を示すα値とをそれぞれ個別に変化可能としている。
【００４０】
次に、図３に示す表示制御回路の動作について説明する。まず、Ｒ出力変化値入力端子３３Ｒ、Ｇ出力変化値入力端子３３ＧおよびＢ出力変化値入力端子３３Ｂとのそれぞれにおいて、Ｒ出力変化値、Ｇ出力変化値およびＢ出力変化値を入力する。ここで、Ｒ出力変化値、Ｇ出力変化値およびＢ出力変化値とは、ＲＯＭ等の記憶部（図示せず）に格納されているあらかじめ設定された一定の値であってもよいし、画面の表示の変化に伴って、マイクロコンピュータ等におけるプログラムによって設定されたり、通信装置等で設定される可変の値であってもよい。そして、論理積回路３４Ｒ, ３４Ｇ, ３４Ｂのそれぞれにおいて、シャッター制御信号Ｓ３１の反転値と、Ｒ出力変化値、Ｇ出力変化値およびＢ出力変化値との論理積処理を行う。一方、カラーパレット選択回路３６では、ＲＯＭ（図示せず）から順次読み出される表示データＳ３２に基づいて、カラーパレットＰＬＴ１〜ＰＬＴｎのうちのいずれかを選択する。そして、減算回路３５Ｒ, ３５Ｇ, ３５Ｂにおいて、カラーパレット選択回路３６から出力されたＲ値、Ｇ値およびＢ値から、各論理積回路３４Ｒ, ３４Ｇ, ３４Ｂから出力されたＲ出力変化値、Ｇ出力変化値およびＢ出力変化値を減算処理する。そして、減算回路３５Ｒ, ３５Ｇ, ３５Ｂのそれぞれの出力を合わせた信号が、ＯＳＤ出力信号Ｓ３８として出力される。
【００４１】
一方、α出力変化値入力端子３３αには、α出力変化値が入力される。ここで、α出力変化値とは、ＲＯＭ等の記憶部（図示せず）に格納されているあらかじめ設定された一定の値であってもよいし、画面の表示の変化に伴って、マイクロコンピュータ等におけるプログラムによって設定されたり、通信装置等で設定される可変の値であってもよい。そして、論理積回路３４αにおいて、シャッター制御信号Ｓ３１の反転値とα出力変化値との論理積処理を行う。一方、映像混合比選択回路３７では、表示データＳ３２に基づいて、パレットＡＬＰ１〜ＡＬＰｎのうちのいずれかを選択する。そして、減算回路３５αにおいて、映像混合比選択回路３７の出力信号から、論理積回路３４αで算出された値を減算処理する。
【００４２】
より具体的に説明すると、シャッター領域を表示するためには、シャッター制御信号入力端子３１にＬレベルのシャッター制御信号Ｓ３１を入力する。論理積回路３４Ｒ, ３４Ｇ, ３４Ｂでは、シャッター制御信号Ｓ３１をＨレベルに反転するため、Ｒ出力変化値、Ｇ出力変化値およびＢ出力変化値がそのままの値で減算回路３５Ｒ, ３５Ｇ, ３５Ｂに出力される。また、カラーパレット選択回路３６では、表示データＳ３２に基づいて、カラーパレットＰＬＴ１〜ＰＬＴｎのうちのいずれかを選択する。減算回路３５Ｒ, ３５Ｇ, ３５Ｂでは、カラーパレット選択回路３６で選択されたカラーパレットのＲ値、Ｇ値およびＢ値から、論理積回路３４Ｒ, ３４Ｇ, ３４Ｂから出力されたＲ出力変化値、Ｇ出力変化値およびＢ出力変化値を減算し、この減算結果をＯＳＤ出力信号Ｓ３８として出力する。
【００４３】
また、論理積回路３４αにおいても、シャッター制御信号Ｓ３１をＨレベルに反転するため、α出力変化値はそのままの値で減算回路３５αに出力される。また、映像混合比選択回路３７では、表示データＳ３２に基づいて、パレットＡＬＰ１〜ＡＬＰｎのうちのいずれかを選択する。減算回路３５αでは、映像混合比選択回路３７で選択された映像混合比αからα出力変化値を減算し、この減算結果を映像混合比出力信号Ｓ３９として出力する。
【００４４】
一方、非シャッター領域を表示するためには、シャッター制御信号入力端子３１にＨレベルのシャッター制御信号Ｓ３１を入力する。論理積回路３４Ｒ, ３４Ｇ, ３４Ｂでは、シャッター制御信号Ｓ３１をＬレベルに反転するため、Ｒ出力変化値、Ｇ出力変化値およびＢ出力変化値が抑制され、減算回路３５Ｒ, ３５Ｇ, ３５ＢにはＬレベルの信号が出力される。減算回路３５Ｒ, ３５Ｇ, ３５ＢにＬレベルの信号が入力されると、減算処理はされず、カラーパレット選択回路３６から入力されたＲ値, Ｇ値およびＢ値が通過して、ＯＳＤ出力信号Ｓ３８として出力される。
【００４５】
また、論理積回路３４αにおいても、シャッター制御信号Ｓ３１をＬレベルに反転するため、α出力変化値は抑制され、減算回路３５αにはＬレベルの信号が出力される。減算回路３５αにＬレベルの信号が入力されると、減算処理はされず、映像混合比選択回路３７で選択された映像混合比αが通過して、映像混合比出力信号Ｓ３９として出力される。
【００４６】
以上に述べた動作によって生成したＯＳＤ出力信号Ｓ３８および映像混合比出力信号Ｓ３９は、テレビ画面を図４に示す状態にする。図４は、第２の実施形態における表示制御回路の制御によってテレビ画面に表示される画像の状態を示す図である。
【００４７】
図４において、破線Ｌは、シャッター領域と非シャッター領域との境界を示しており、破線によって囲まれる領域内が非シャッター領域となり、破線に囲まれる領域の外側がシャッター領域となっている。この状態において、非シャッター領域におけるＯＳＤ１の透明度とシャッター領域におけるＯＳＤ２, ３の透明度とは異なり、各ＯＳＤ１〜３の背面における映像はＯＳＤ１よりもＯＳＤ２, ３の方に大きく反映されている。なお、図４では、ＯＳＤ１には背面の映像が反映されていないが、これは表示の一例であり、ＯＳＤ１にはＯＳＤ表示２, ３と異なる透明度で背面の映像が反映されておればよい。ここで、図示はしていないが、ＯＳＤ２, ３は、ＯＳＤ１とは異なる色に着色されている。
【００４８】
以上に述べたように、本実施形態では、シャッター領域に位置するＯＳＤ２, ３の色および透明度が、非シャッター領域におけるＯＳＤ１と異なっている。これは、非シャッター領域にはＲＧＢ値や映像混合比αがそのまま供給されるのに対して、シャッター領域には、Ｒ値、Ｇ値およびＢ値のそれぞれからＲ出力変化値、Ｇ出力変化値およびＢ値出力変化値のそれぞれを減算した値と、映像混合比αからα出力変化値を減算した値が供給されるためである。なお、シャッター領域の範囲は任意の回路で柔軟に変更することができ、ＯＳＤ１〜３の色や透明度を途中で変化させる等の動作が可能である。
【００４９】
なお、本実施形態では、減算回路３５Ｒ, ３５Ｇ, ３５Ｂ, ３５αのかわりとして、割り算を行う除算回路等を用いることができる。
【００５０】
また、本実施形態では、Ｒ値、Ｇ値、Ｂ値およびα値のそれぞれを独自に変化させているが、本発明は、これらのうちのＲ値、Ｇ値、Ｂ値をそれぞれ独立に変化させてα値を変化させない形態や、α値のみを変化させる形態にも適用することができる。
【００５１】
（第３の実施形態）
図５は、本発明の第３の実施形態における表示制御回路の構成を示すブロック図である。図５に示すように、本実施形態の表示制御回路５０は、ＲＯＭ（図示せず）から順次読み出され、ＯＳＤ表示の種類を示す表示データＳ５２が入力される表示データ入力端子５２と、ＯＳＤ表示の色を示すＲＧＢ値がそれぞれ格納されるｎ個のカラーパレットＰＬＴ１〜ＰＬＴｎと、表示データＳ５２に基づいてカラーパレットＰＬＴ１〜ＰＬＴｎを選択するカラーパレット選択回路５４と、ＯＳＤ表示と映像とを混合する比率であるα値がそれぞれ格納されているｎ個のパレットＡＬＰ１〜ＡＬＰｎと、表示データＳ５２に基づいてパレットＡＬＰ１〜ＡＬＰｎを選択する映像混合比選択回路５５と、映像混合比選択回路５５からの信号と、シャッター用映像混合比Ｓ５３が入力されるシャッター用映像混合比入力端子５３と、シャッター領域にはＬレベルを、シャッター領域以外にはＨレベルを示すシャッター制御信号Ｓ５１が入力されるシャッター制御信号入力端子５１と、シャッター制御信号Ｓ５１を受けて、映像混合比選択回路５５からの信号とシャッター用映像混合比Ｓ５３とを切り替える切換回路５６とを備えている。
【００５２】
第３の実施形態の表示制御回路の特徴は、シャッター用映像混合比入力端子５３および切換回路５６を設け、シャッター制御信号Ｓ５１に基づいて映像混合比選択回路５５からの出力信号をシャッター用映像混合比Ｓ５３に切り替える点である。
【００５３】
次に、図５に示す表示制御回路の動作について説明する。まず、カラーパレット選択回路５４は、ＲＯＭから順次読み出される表示データＳ５２に基づいて、カラーパレットＰＬＴ１〜ＰＬＴｎのうちのいずれかを選択し、ＯＳＤの文字や色を形成するためのＯＳＤ出力信号Ｓ５４を出力する。
【００５４】
一方、映像混合比選択回路５５も、表示データＳ５２に基づいて、映像混合比パレットＡＬＰ１〜ＡＬＰｎのうちのいずれかを選択する。そして、切換回路５６は、シャッター制御信号Ｓ５１に基づいて、映像混合比選択回路５５で選択された映像混合比αとシャッター用映像混合比Ｓ５３とを切り替えて、映像混合比出力信号Ｓ５６として出力する。ここで、シャッター用映像混合比Ｓ５３とは、ＲＯＭ等の記憶部（図示せず）に格納されているあらかじめ設定された一定の値であってもよいし、画面の表示の変化に伴って、マイクロコンピュータ等におけるプログラムによって設定されたり、通信装置等で設定される可変の値であってもよい。
【００５５】
より具体的に説明すると、シャッター領域を表示するためには、シャッター制御信号入力端子５１にＬレベルのシャッター制御信号Ｓ５１を入力する。そして、切換回路５６は、シャッター制御信号Ｓ５１に基づいてシャッター用映像混合比Ｓ５３を選択し、映像混合比出力信号Ｓ５６を出力する。
【００５６】
一方、非シャッター領域を表示するためには、シャッター制御信号入力端子５１にＨレベルのシャッター制御信号Ｓ５１を入力する。そして、切換回路５６は、シャッター制御信号Ｓ５１に基づいて映像混合比選択回路５５からの映像選択比αを選択し、映像混合比出力信号Ｓ５６を出力する。
【００５７】
以上に述べた動作によって生成した映像混合比出力信号Ｓ５６は、テレビ画面を図６に示す状態にする。図６は、第３の実施形態における表示制御回路の制御によってテレビ画面に表示される画像の状態を示す図である。
【００５８】
図６において、破線Ｌはシャッター領域と非シャッター領域との境界を示しており、破線によって囲まれる領域内が非シャッター領域となり、破線に囲まれる領域の外側がシャッター領域となっている。この状態において、非シャッター領域におけるＯＳＤ１の透明度とシャッター領域におけるＯＳＤ２, ３の透明度とは異なり、各ＯＳＤ１〜３の背面における映像はＯＳＤ１よりもＯＳＤ２, ３の方に大きく反映されている。なお、図６では、ＯＳＤ１には背面の映像が反映されていないが、これは表示の一例であり、ＯＳＤ１にはＯＳＤ表示２, ３と異なる透明度で背面の映像が反映されておればよい。
また、図には表れていないが、シャッター領域におけるグラデーションの映像ＰＩＣ１の透明度が、シャッター領域外に位置する場合と比較して高くなっている。
【００５９】
以上に述べたように、本実施形態では、シャッター領域に位置するＯＳＤ２, ３は、非シャッター領域に位置するＯＳＤ１と異なる透明度で表示されている。また、本実施形態では、ＯＳＤ表示だけでなく、シャッター領域にある映像ＰＩＣ１の透明度も、シャッター領域外にある場合とは異なったものとすることができる。
【００６０】
なお、シャッター領域の範囲は柔軟に変更することができ、ＯＳＤ１〜３および映像の透明度を途中で変化させる等の動作が可能である。
【００６１】
（第４の実施形態）
図７は、本発明の第４の実施形態における表示制御回路の構成を示すブロック図である。図７に示すように、本実施形態の表示制御回路７０は、シャッター領域にはＬレベルを、シャッター領域以外にはＨレベルを示すシャッター制御信号Ｓ７１が入力されるシャッター制御信号入力端子７１と、ＲＯＭ（図示せず）から順次読み出されるＯＳＤ表示の種類を示す表示データＳ７２が入力される表示データ入力端子７２と、ＯＳＤ出力混合比Ｓ７３が入力されるＯＳＤ出力混合比入力端子７３と、ＯＳＤ出力制御信号Ｓ７４が入力されるＯＳＤ出力制御信号入力端子７４と、ＯＳＤ表示の色を示すＲＧＢ値がそれぞれ格納されるｎ個のカラーパレットＰＬＴ０１〜ＰＬＴｎと、表示データＳ７２に基づいてカラーパレットＰＬＴ１〜ＰＬＴｎを選択するカラーパレット選択回路７５と、映像混合比αの値が格納されているｎ個のパレットＡＬＰ１〜ＡＬＰｎと、表示データＳ７２に基づいてパレットＡＬＰ１〜ＡＬＰｎを選択する映像混合比選択回路７６と、シャッター用カラーパレットＰＬＴ１１とシャッター用映像混合比パレットＡＬＰ１１とを備えたシャッター用パレット７７と、カラーパレット選択回路７５で選択されたＲＧＢ値とシャッター用カラーパレットＰＬＴ１１のＲＧＢ値とを合成する色混合回路７８と、映像混合比選択回路７６で選択された映像混合比αとシャッター用映像混合比パレットＡＬＰ１１の映像混合比α値とを合成するα値混合回路７９と、ＯＳＤ出力制御信号Ｓ７４に基づいて、色混合回路７８の出力信号とシャッター用カラーパレットＰＬＴ１１のＲＧＢ値とを切り替える第１の切換回路８０と、シャッター制御信号Ｓ７１に基づいて、カラーパレット選択回路７５の出力信号と第１の切換回路８０の出力信号とを切り替える第２の切換回路８２と、ＯＳＤ出力制御信号Ｓ７４に基づいて、α値混合回路７９の出力信号とシャッター用映像混合比パレットＡＬＰ１１の映像混合比αとを切り替える第３の切換回路８１と、シャッター制御信号Ｓ７１に基づいて、映像混合比選択回路７６の出力信号と第３の切換回路８１の出力信号とを切り替える第４の切換回路８３とを備えている。
【００６２】
次に、図７に示す表示制御回路の動作について説明する。まず、カラーパレット選択回路７５は、ＲＯＭから順次読み出される表示データＳ７２に基づいて、カラーパレットＰＬＴ１〜ＰＬＴｎのうちのいずれかを選択し、ＯＳＤの文字や色を形成するためのＲＧＢ1を出力する。そして、色混合回路７８は、ＯＳＤ出力混合比Ｓ７３に基づいて、カラーパレット選択回路７５で選択されたＲＧＢ1とシャッター用カラーパレットＰＬＴ１１に格納されているＲＧＢ2とを合成して、ＲＧＢ3を出力する。例えば、ＯＳＤ出力混合比Ｓ７３がβである場合には、色混合回路７８は、下記（１）式のＲＧＢ3を出力する。
【００６３】
ＲＧＢ3＝ＲＧＢ1×β＋ＲＧＢ2×(１−β)  ・・・（１）
そして、第１の切換回路８０は、ＯＳＤ出力制御信号Ｓ７４に基づいて、色混合回路７８から出力されたＲＧＢ3と、シャッター用カラーパレットＰＬＴ１１のＲＧＢ2とを切り替えて、ＲＧＢ4を出力する。さらに、第２の切換回路８２は、シャッター制御信号Ｓ７１に基づいて、カラーパレット選択回路７５で選択されたＲＧＢ1と第１の切換回路８０から出力されたＲＧＢ4とを切換えて、ＯＳＤの文字や図形の色を形成するＯＳＤ出力信号Ｓ８２を出力する。
【００６４】
一方、映像混合比選択回路７６は、表示データＳ７２に基づいて、映像混合比パレットＡＬＰ１〜ＡＬＰｎのうちのいずれかを選択して、映像選択比α1を出力する。そして、α値混合回路７９は、ＯＳＤ出力混合比Ｓ７３に基づいて、映像混合比選択回路７６で選択された映像混合比α1と、シャッター用映像混合比パレットＡＬＰ１１に格納されている映像混合比α2とを合成して、映像混合比α3を出力する。例えば、ＯＳＤ出力混合比Ｓ７３の値がβである場合には、α値混合回路７９は下記（２）式で示される映像混合比α3を出力する。
【００６５】
α3＝α1×β＋α2×（１−β）  ・・・（２）
そして、第３の切換回路８１は、ＯＳＤ出力制御信号Ｓ７４に基づいて、上記α値混合回路７９から出力された映像混合比α3と、シャッター用映像混合比パレットＡＬＰ１１の映像混合比α2とを切換えて、映像混合比α4を出力する。さらに、第４の切換回路８３は、シャッター制御信号Ｓ７１に基づいて、映像混合比選択回路７６で選択された映像混合比α1と、第３の切換回路８１から出力された映像混合比α4とを切換えて、ＯＳＤの文字や図形と映像との混合比を形成する映像混合比出力信号Ｓ８３を出力する。
【００６６】
より具体的に説明すると、シャッター領域内のＯＳＤ表示を表示するためには、シャッター制御信号入力端子７１にＬレベルのシャッター制御信号Ｓ７１を入力し、ＯＳＤ出力制御信号入力端子７４にはＨレベルのＯＳＤ出力制御信号Ｓ７４を入力する。第１の切換回路８０にＨレベルのＯＳＤ出力制御信号Ｓ７４が入力すると、色混合回路７８から出力されたＲＧＢ3が選択され、ＲＧＢ4として出力される。そして、第２の切換回路８２にＬレベルのシャッター制御信号Ｓ７１が入力すると、ＲＧＢ4が選択され、ＯＳＤ出力信号Ｓ８２として出力される。つまり、シャッター領域内でＯＳＤ表示がある場合には、色混合回路７８で合成されたＲＧＢ3がＯＳＤ出力信号Ｓ８２として出力される。
【００６７】
また、第３の切換回路８１にＨレベルのＯＳＤ出力制御信号Ｓ７４が入力すると、α値混合回路７９から出力されたα3が選択され、α4として出力される。そして、第４の切換回路８３にＬレベルのシャッター制御信号Ｓ７１が入力すると、第３の切換回路８１から出力されたα4が選択され、映像混合比出力信号Ｓ８３として出力される。つまり、シャッター領域内のＯＳＤ表示を表示するためには、α値混合回路７９で合成されたα3が映像混合比出力信号Ｓ８３として出力される。
【００６８】
一方、シャッター領域内の映像を表示するためには、シャッター制御信号入力端子７１にＬレベルのシャッター制御信号Ｓ７１を入力し、ＯＳＤ出力制御信号入力端子７４にＬレベルのＯＳＤ出力制御信号Ｓ７４を入力する。第１の切換回路８０にＬレベルのＯＳＤ出力制御信号Ｓ７４が入力すると、シャッター用カラーパレットＰＬＴ１１に格納されたＲＧＢ2が選択され、ＲＧＢ3として出力される。そして、第２の切換回路８２にＬレベルのシャッター制御信号Ｓ７１が入力すると、第１の切換回路８０の出力信号であるＲＧＢ4が選択され、ＯＳＤ出力信号Ｓ８２として出力される。つまり、シャッター領域内の映像を表示するためには、シャッター用カラーパレットＰＬＴ１１に格納されたＲＧＢ2がＯＳＤ出力信号Ｓ８２として出力される。
【００６９】
また、第３の切換回路８１にＬレベルのＯＳＤ出力制御信号Ｓ７４が入力すると、シャッター用映像混合比パレットＡＬＰ１１に格納されたα2が選択され、α4として出力される。そして、第４の切換回路８３にＬレベルのシャッター制御信号Ｓ７１が入力すると、第３の切換回路８１の出力信号であるα4が選択され、映像混合比出力信号Ｓ８３として出力される。つまり、シャッター領域内の映像を表示するためには、シャッター用映像混合比パレットＡＬＰ１１に格納されたα2が映像混合比出力信号Ｓ８３として出力される。
【００７０】
一方、シャッター領域外を表示するためには、シャッター制御信号入力端子７１にＨレベルのシャッター制御信号Ｓ７１を入力する。第２の切換回路８２にＨレベルのシャッター制御信号Ｓ７１が入力すると、カラーパレット選択回路７５で選択されたＲＧＢ1が選択されて、ＯＳＤ出力信号Ｓ８２として出力される。また、第４の切換回路８３にＨレベルのシャッター制御信号Ｓ７１が入力すると、映像混合比選択回路７６で選択されたα1が選択されて、映像混合比出力信号Ｓ８３として出力される。なお、シャッター領域を表示する場合には、ＯＳＤ出力信号Ｓ８２および映像混合比出力信号Ｓ８３の結果は、ＯＳＤ出力制御信号Ｓ７４のＨ／Ｌに影響を受けない。
【００７１】
以上に述べた動作によって生成したＯＳＤ出力信号Ｓ８２および映像混合比出力信号Ｓ８３は、テレビ画面を図８に示す状態にする。図８は、第４の実施形態における表示制御回路の制御によってテレビ画面に表示される画像の状態を示す図である。
【００７２】
図８において、破線Ｌは、シャッター領域と非シャッター領域との境界を示しており、破線Ｌによって囲まれる領域内が非シャッター領域となり、破線Ｌに囲まれる領域の外側がシャッター領域となっている。この状態において、シャッター領域にあるＯＳＤ２, ３の色および透明度は、シャッター領域外にある場合の色および透明度とは異なっている。これは、シャッター領域におけるＯＳＤ２, ３を表示するためのＯＳＤ出力信号Ｓ８２が、色混合回路７８において、ＲＧＢ1とシャッター用パレット７７のＲＧＢ2とを混合したものであり、映像混合比出力信号Ｓ８３が、映像混合比選択回路７６において、α1とシャッター用パレット７７のα2とを混合したものであるためである。
【００７３】
また、この状態では、シャッター領域にある映像の色および透明度も、シャッター領域外にある場合の映像の色および透明度と異なっている。これは、シャッター領域における映像ＰＩＣ１を表示するためのＯＳＤ出力信号Ｓ８２が、シャッター用パレット７７のＲＧＢ2であり、映像混合比出力信号Ｓ８３が、シャッター用パレット７７のα2であるためである。
【００７４】
以上のように、本実施形態では、シャッター領域におけるＯＳＤおよび映像のＲＧＢ値と映像混合比α値を非シャッター領域におけるＯＳＤおよび映像と異なるものにすることができる。
【００７５】
なお、シャッター領域の範囲は任意の回路で柔軟に変更することができ、ＯＳＤ１〜３および映像の透明度を途中で変化させる等の動作が可能である。
【００７６】
なお、第１〜第４の実施形態で説明したカラーパレットのＲＧＢ値ＰＬＴ１〜ＰＬＴｎ、映像混合比パレットの映像混合比α値ＡＬＴ１〜ＡＬＴｎ、シャッター用映像混合比α2、シャッター用パレットのＲＧＢ2および映像混合比α2を設定する回路としては、マイクロコンピュータ等でプログラムによって上記値を設定する回路や、通信装置等で上記値を設定する回路等が考えられる。
【００７７】
なお、第１〜第４の実施形態では、信号を入力する手段として各種の入力端子を記載したが、これらの入力端子はなくてもよい。
【産業上の利用可能性】
【００７８】
本発明にかかる表示制御回路は、設定に応じてＯＳＤ表示や映像の色、明るさおよび透明度を変化させる制御回路を有するため、ＣＲＴ等の表示を効率的に切換える方法等として有用である。
【図面の簡単な説明】
【００７９】
【図１】本発明の第１の実施形態における表示制御回路の構成を示すブロック図である。
【図２】第１の実施形態における表示制御回路の制御によってテレビ画面に表示される画像の状態を示す図である。
【図３】本発明の第２の実施形態における表示制御回路の構成を示すブロック図である。
【図４】第２の実施形態における表示制御回路の制御によってテレビ画面に表示される画像の状態を示す図である。
【図５】本発明の第３の実施形態における表示制御回路の構成を示すブロック図である。
【図６】第３の実施形態における表示制御回路の制御によってテレビ画面に表示される画像の状態を示す図である。
【図７】本発明の第４の実施形態における表示制御回路の構成を示すブロック図である。
【図８】第４の実施形態における表示制御回路の制御によってテレビ画面に表示される画像の状態を示す図である。
【図９】従来のシャッター機能を有する表示制御回路の構成を示すブロック図である。
【図１０】従来の映像表示回路の制御によってテレビ画面に表示される画像の状態を示す図である。
【符号の説明】
【００８０】
１０      表示制御回路
１１      シャッター制御信号入力端子
１２      表示データ入力端子
１３      ＯＳＤ出力変化値入力端子
１４      論理積回路
１５      減算回路
１６      カラーパレット選択回路
１７      映像混合比選択回路
３０      表示制御回路
３１      シャッター制御信号入力端子
３２      表示データ入力端子
３３α    α値変化量入力端子
３３Ｒ    Ｒ出力変化値入力端子
３３Ｇ    Ｇ出力変化値入力端子
３３Ｂ    Ｂ出力変化値入力端子
３４Ｒ, ３４Ｇ, ３４Ｂ, ３４α    論理積回路
３５Ｒ, ３５Ｇ, ３５Ｂ, ３５α    減算回路
３６      カラーパレット選択回路
３７      映像混合比選択回路
５０      表示制御回路
５１      シャッター制御信号入力端子
５２      表示データ入力端子
５３      シャッター用映像混合比入力端子
５４      カラーパレット選択回路
５５      映像混合比選択回路
５６      切換回路
７０      表示制御回路
７１      シャッター制御信号入力端子
７２      表示データ入力端子
７３      ＯＳＤ出力混合比入力端子
７４      ＯＳＤ出力制御信号入力端子
７５      カラーパレット選択回路
７６      映像混合比選択回路
７７      シャッター用パレット
７８      色混合回路
７９      α値混合回路
８０      第１の切換回路
８１      第３の切換回路
８２      第２の切換回路
８３      第４の切換回路
【図１】
2005252398.tif 000003
【図２】
2005252398.tif 000004
【図３】
2005252398.tif 000005
【図４】
2005252398.tif 000006
【図５】
2005252398.tif 000007
【図６】
2005252398.tif 000008
【図７】
2005252398.tif 000009
【図８】
2005252398.tif 000010
【図９】
2005252398.tif 000011
【図１０】
2005252398.tif 000012